(57)【特許請求の範囲】
【請求項１】
基礎が、コンクリート布基礎の立ち上がり部の一方又は両方の側面部に断熱材が施された断熱基礎からなると共に、該断熱基礎によって周囲を囲まれた床下空間部のベースがコンクリート土間からなり、床が無断熱で床下空間部と室内との間で熱の行き来が許容されるようになされた断熱基礎を採用する建物を対象とし、
床下のコンクリート土間上の、ユニットバスにおいて生じる水音の反射面となる部位に、調湿機能を備えたマット状の吸音材が、敷き置かれ、ユニットバスから発せられ床下空間部へと伝わっていく水音を前記吸音材に吸音させることで、該水音がコンクリート土間面で反射するのを阻止して床上の居室に伝わるのを防止するようになされていることを特徴とする断熱基礎を採用する建物内の騒音防止構造。
【請求項２】
前記吸音材が、消臭機能を備えている請求項１に記載の断熱基礎を採用する建物内の騒音防止構造。
【発明の詳細な説明】
【０００１】
【発明の属する技術分野】
本発明は、断熱基礎を採用する建物内の騒音防止構造に関する。
【０００２】
【従来の技術及び課題】
北海道などの寒冷地では、住宅などの建物として、図２に示すように、布基礎部分に断熱材を施した断熱基礎５１を採用し、建物一階の床５２を断熱材を施さない無断熱の床にし、床下空間部５３のベースをコンクリート土間５４としたものが提供されている。
【０００３】
しかしながら、床５２を無断熱で、床下がコンクリート土間５４の建物では、例えば、ユニットバス５５で発生した水音が、床下空間部５３に伝えられ、それがコンクリート土間５４で反射して、ユニットバス５５から離れた居室５６などの別室に、大きな音として響いて聞こえてしまうという問題があった。
【０００４】
本発明は、この騒音を効果的に防止することができる、断熱基礎を採用する建物内の騒音防止構造を提供することを課題とする。
【０００５】
【課題を解決するための手段】
上記の課題は、基礎が断熱基礎からなると共に、床下のベースがコンクリート土間からなり、床が無断熱で床下空間部と室内との間で熱の行き来が許容されるようになされた断熱基礎を採用する建物内の騒音防止構造であって、
床下のコンクリート土間上に吸音材が設置されていることを特徴とする断熱基礎を採用する建物内の騒音防止構造によって解決される。
【０００６】
この騒音防止構造では、屋内の騒音源から発せられる音がコンクリート土間上の吸音材によって吸音され、コンクリート土間面で反射せず、そのため、騒音源の音が床下を通じて他室に響いてしまうのが防がれる。
【０００７】
しかも、吸音材はコンクリート土間上に設置されているから、断熱基礎にして床下空間部と室内との間の熱の行き来を確保するという断熱基礎特有の建物構造のメリットを生かしながら、上記のような騒音の問題を有効的かつ効果的に防止することができる。
【０００８】
加えて、吸音材はコンクリート土間上に設置されているから、吸音材の施工も容易に行うことができる。特に、吸音材がマット状のものからなり、このマット状の吸音材がコンクリート土間上に敷き置かれている構造の場合は、吸音材の設置の施工を非常に容易に行うことができる。そのような吸音材として、特に、セルロースファイバーを吸音素材として内部に収納したマット状吸音材を用いると効果的である。
【０００９】
吸音材が、調湿機能を備えている場合は、床下での結露発生を防ぐことができる。特に、建物の完成初期には、コンクリートからの放湿で床下空間部は高湿になりやすいが、これが吸音材で調湿され、結露の発生を防ぐことができる。
【００１０】
吸音材が、消臭機能を備えている場合は、床下にカビが発生した場合のカビ処理後の消臭効果も発揮される。
【００１１】
【発明の実施の形態】
次に、本発明の実施形態を図面に基づいて説明する。
【００１２】
図１に示す建物１において、２は基礎であり、この基礎２は、コンクリート布基礎などの連続基礎の立ち上がり部の一方又は両方に側面部に発泡系などの断熱材が施された断熱基礎からなっている。
【００１３】
８は床下空間部であり、そのベースは、例えば、防湿シートの上にシンダーコンクリートを打ち込んだ、コンクリート土間３からなっている。そして、建物１の一階の床４は、断熱材の施されていない無断熱の床からなっていて、床下空間部８と床上の室内との間で熱の行き来が許容されるようになされている。５はユニットバスであり、６は居室であり、ユニットバス５からの水音は、床上空間を通じては、居室６に届かないようになっている。
【００１４】
この建物１において、床下のコンクリート土間３上に、吸音材７が設置されている。吸音材７は、マット状のものからなっている。具体的には、例えば、炭を織り込んだ布基礎袋にセルロースファイバーを入れたものからなる。このマット状吸音材７は、炭の働きにより、吸音のほか、調湿、消臭も行うことができる。なお、マット状吸音材として、不織布製の袋状のものにセルロースファイバーを入れたものであってもよい。
【００１５】
このマット状吸音材７が、本実施形態では、床下のコンクリート土間３上の、ユニットバス５において生じる水音の反射面となる部位に、局所的に敷き置かれている。なお、吸音材７は、このようにコンクリート土間３上の吸音すべき要所にのみ敷き置くようにしてもよいし、コンクリート土間３の大部分ないしは全体に敷き置くようにしてもよいことはいうまでもない。
【００１６】
この建物１では、ユニットバス５から発せられ床下空間部８へと伝えられていった水音は、コンクリート土間３上のマット状吸音材７によって吸音されて、コンクリート土間３面で反射せず、そのため、居室６にいる者がユニットバス５からの水音の響き音で嫌な思いをすることはない。
【００１７】
この吸音材７は、既設の建物に設置して用いられてもよいし、新築の建物に予め備えさせるようにしてもよい。後者の場合は、建物完成初期に生じるコンクリート土間３などからの放湿による湿気を吸音材７が吸湿し、床下空間部８での結露の発生を防ぐ働きをすることができる。また、前者、後者にかかわらず、床下にカビが発生したような場合、カビ処理後の消臭もこの吸音材７が行う。
【００１８】
更に、この騒音防止構造によれば、吸音材７の設置によって、基礎２を断熱基礎にし、床下空間部８と室内との間の熱の行き来を許容するという断熱基礎特有の建物構造のメリットを失わせることもない。吸音材７の設置の施工も、特に本実施形態では吸音材７がマット状のものからなっていて、これをコンクリート土間３の上の敷き置くだけの構造であるから、建物が新築であるか既設のものであるかを問わず、非常に容易に行うことができる。
【００１９】
以上に、本発明の実施形態を示したが、本発明はこれに限られるものではなく、発明思想を逸脱しない範囲で各種の変更が可能である。例えば、上記の実施形態では、吸音材として、マット状のタイプのものを用いたが、その他のタイプの吸音材が用いられてもよい。また、吸音材は、調湿機能と消臭機能のいずれか一方又は両方を備えない吸音材であってもよい。更に、吸音材の吸音素材として各種素材が用いられてよい。
【００２０】
【発明の効果】
本発明は、以上のとおりのものであるから、断熱基礎で床無断熱かつ床下がコンクリート土間の建物において、建物内での騒音を効果的に防止することができる。
【図面の簡単な説明】
【図１】実施形態の騒音防止構造を示す建物の断面側面図である。
【図２】従来例を示すもので、建物の断面側面図である。
【符号の説明】
１…建物
２…断熱基礎
３…コンクリート土間
４…床
７…吸音材
８…床下空間部
【図１】
0004791627.tif 000002
【図２】
0004791627.tif 000003